(57)【要約】長手軸（Ａ）を有し、継手（Ｍ）を含み、それによってマウントに接続することができる本体部材（１）と、アンテナ・コイルをそれによって直接に、またはアンテナ・コイルが装着されるコア・アセンブリによって装着することができる本体部材上の台座（５）とによって特徴付けられ、台座が、本体部材（１）上に装着されたコイルを提供し、本体部材（１）に対するコイル（１１）の軸方向位置と、  本体部材（１）に対するコイルの（１１）半径方向位置と、コイル（１１）と本体部材（１）との間の電気的係合の維持を提供する、移動電話などのマウントにアンテナを保持するためのアンテナ・コネクタ・ブッシング。
2004500737.tif 000002
【特許請求の範囲】
【請求項１】
移動電話などのマウントにアンテナを保持するためのアンテナ・コネクタ・ブッシングであって、
長手軸（Ａ）を有し、嵌合（Ｍ）を含み、マウントに接続することができる本体部材（１）と、
アンテナ・コイルを直接にまたはアンテナ・コイルが装着されるコア・アセンブリによって装着することができ、本体部材（１）に装着されたコイルを取り付ける本体部材の台座（５）を有し、
台座（５）が、
本体部材（１）に対するコイル（１１）の軸方向位置と、
本体部材（１）に対するコイルの（１１）半径方向位置と、
コイル（１１）と本体部材（１）との間の電気的係合の維持を提供することを特徴とするアンテナ・コネクタ・ブッシング。
【請求項２】
台座（５）が、本体部材（１）への取り付け用としてアンテナ・コイルに設けられた相補型ソケットまたはプラグ要素との係合に適合したプラグまたはソケット要素（２Ａ）を含むことを特徴とする請求項１に記載のアンテナ・コネクタ・ブッシング。
【請求項３】
台座（５）が、アンテナ・コイルの領域を受け取るための内側アンダーカット（３）または溝付きショルダ（７）を含み、それによって電気的係合を維持することを特徴とする前記請求項のいずれかに記載のアンテナ・コネクタ・ブッシング。
【請求項４】
本体部材（１）が、固体材料から機械加工され、または射出成型などによってプラスチック材料から成型されることを特徴とする前記請求項のいずれかに記載のアンテナ・コネクタ・ブッシング。
【請求項５】
前記請求項１ないし４のいずれかによるアンテナ・コネクタ・ブッシング（１）に接続されるアンテナ・コイル（１１）を備えることを特徴とするアンテナ・ユニット。
【請求項６】
前記請求項１ないし４のいずれかに記載のアンテナ・コネクタ・ブッシング（１）に接続されるコア（９）に装着されることを特徴とするアンテナ・コイル（１１）を備えるアンテナ・ユニット。
【発明の詳細な説明】
【０００１】
（技術分野）
本発明は、アンテナ・コネクタ・ブッシングおよびコイル・アセンブリに関する。詳細には、移動電話などのマウントに組み込まれるアンテナなどの装置の製造を容易にするようなアセンブリの提供に関する。
【０００２】
（背景技術）
移動電話などの装置の製造は、多数の構成要素およびサブアセンブリの組み立てと、得られたアセンブリを比較的小さなハウジング内に封入することを含む。電子構成要素およびデータ処理構成要素を小型化する分野での進歩により、小さい外被内に装置の大部分を容易に組み込むことができるようになった。しかし装置のうちのいくつかの部品は大きさの要件を有し、例えば人間の手（キーボード）、口および耳の相対間隔（マイクロフォンおよびスピーカ）、および空中線（動作周波数および感度に応じた最適な大きさおよび構成）に関連して有用であるように制限される。
【０００３】
本発明は、組み立ての工程時に、１つの構成要素と別の構成要素との取り付けが効果的かつ明確に電気的接続が行えるアンテナ・コネクタ・ブッシングおよびコイル（「ばね」とも呼ばれる）アセンブリの提供に関する。さらに本発明は、必要な場合に圧着またははんだ付けなどの他の製造ステップなしでアセンブリの構成要素間の電気的接続を行えるようにすることである。
【０００４】
（発明の開示）
本発明の第１態様によれば、以下を備えるアンテナ・コネクタ・ブッシングが提供される。
長手軸を有し、かつ、マウントに接続することができる手段を含む本体部材、
アンテナ・コイルを直接に、またはアンテナ・コイルが装着されるコア・アセンブリによって装着することができ、本体部材にコイルを装着する本体部材の台座であって、その台座が、本体部材に対するコイルの軸方向位置と、本体部材に対するコイルの半径方向位置と、コイルと本体部材との間の電気的係合の維持とを提供する。
【０００５】
本発明の第１態様の第１の好ましいバージョンによれば、この台座は、本体部材への取り付け用としてアンテナ・コイルに設けられた相補型ソケットまたはプラグ要素との係合に適合したプラグまたはソケット要素を含む。
【０００６】
本発明の第１態様の、またはその第１の好ましいバージョンの第２の好ましいバージョンによれば、この台座は、アンテナ・コイルの領域を受け取るための内側アンダーカットまたは溝付きショルダを含み、それによって電気的係合の維持を提供する。
【０００７】
本発明の第１態様の、またはその前述した好ましいバージョンのいずれかの第３の好ましいバージョンによれば、部材は、固体材料から機械加工されるか、または射出成型などによってプラスチック材料から成型される。
【０００８】
本発明の第２態様によれば、本発明またはその好ましいバージョンのいずれかの第１態様によるアンテナ・コネクタ・ブッシングに接続されるアンテナ・コイルを備えるアンテナ・ユニットが提供される。
【０００９】
本発明の第３態様によれば、本発明の第２態様によるアンテナ・ユニットを装備した移動無線器が提供される。
【００１０】
アンテナ・コネクタ・ブッシングとコイル・モールドとの間のスナップ・オン・クリップ（ｓｎａｐ ｏｎ ｃｌｉｐ）構成によって得られる剛性および確実な固定が、サブ・アセンブリに安定した状態を提供し、それぞれの構成要素が保管中、移送中、ならびに最後のオーバー・モールドおよびアンテナの完成時に脱落してしまうことを抑える。
【００１１】
次いで本発明の例示的実施形態を、アンテナ・コネクタ・ブッシングとその関連する構成要素の添付の図面を参照して説明する。
【００１２】
（発明を実施するための形態）
第１実施形態（図１〜４）
図１〜４は、リップ（２Ａ）および平坦なショルダ部材（５）を備えるクリップすなわち台座（２）を組み込んだ、長手軸Ａを有し、アンテナ・コネクタ・ブッシング（１）を様々に示す図である。クリップ２は、リップ２Ａおよびショルダ部材５によって、軸Ａに対してブッシング１（以下で説明する）に結合されたアンテナ・コイルを位置合せをするように働く。この構成は、アンテナをブッシングに組み立てる際に、他の機械的圧着またははんだ付けのステップを必要とせずに、結合されたアンテナが軸方向および半径方向に位置合わせされ、アンテナとブッシングとの間で効果的な電気的係合を確実にする。ブッシング（１）は、この場合、機械加工した金属部品であるが、代替バージョンでは、プラスチック材料の成型ユニットとしても形成できる。ブッシング（１）は、クリップ（２）を通って延びている穴（４）（図３）を有するように形成されている。ブッシング（１）は、クリップ（２）を通って突き出ている尾部（１０）をさらに含むことができる（図２）。
【００１３】
クリップ（２）は、他にアンテナばね（１１）をブッシング（１）に機械的に接続する必要がなくなるように、アンテナばね（１１）と、このクリップ（２）に取り付けられかつ保持されるコア・モールド（９）とを保持する働きをする（図４）。コネクタ・ブッシング（１）の端部のクリップ（２）は、所定の深さおよび直径のアンダーカット（３）が形成されている。アンダーカット（３）の大きさは、アンテナばね（１１）を形成するために使用されるワイアの直径によって決まる。
【００１４】
アンテナ・コネクタ・ブッシング（１）、アンテナばね（１１）、およびコア・モールド（９）の残りの部分は、アンテナの用途が異なると構造が変わるため、詳細には述べない。
【００１５】
第２実施形態（図５〜１０）
図５〜１０は、クリップ（２）およびアンテナばね（１１）用の溝付きショルダ部材（６）を有するアンテナ・コネクタ・ブッシング（１）を様々に示す図である。ショルダ部材（６）内の溝（７）は、アンテナばね（１１）が溝（７）に組み立てられた後に、アセンブリがアンテナばね（１１）とブッシング（１）との間の直接接続を確実にさせ、その結果アンテナばね（１１）の端部をブッシング（１）に機械的に圧着（またははんだ付け）する必要を確実になくする働きをする。クリップ（２）は、アンダーカット（３）によって決まる所定の深さおよびおよび直径を有する。コア・モールド（９）（図８）は、図１０に示すとおり（射出成型したモールド（９）で形成されるか、あるいは加工した部分として含まれるかに関わらず）被クリップ（８）を有し、その被クリップ（８）はブッシング（１）のクリップ（２）を覆ってスナップ嵌合する。コア・モールド（９）の被クリップ（８）およびブッシング（１）のクリップ（２）の大きさは、共に接続した後に剛性を持ったアセンブリが得られるように設計する。ショルダ部材（６）の溝（７）の大きさは、アンテナばね（１１）を形成するために用いられるワイアの直径によって決定される。ブッシング（１）（図７）は、穴（４）を有するように形成され、その穴（４）はクリップ（２）を通って延びている。また、ブッシング（１）は、クリップ（２）から突き出る尾部（１０）を含むことができる（図６）。
【００１６】
アンテナ・コネクタ・ブッシング（１）、アンテナばね（１１）、およびコア・モールド・アセンブリの残りの部分の形成は、アンテナの用途が異なると構造が変わるため、詳細には述べない。
【００１７】
第３実施形態（図１１〜１６）
図１１〜１６は、内側アンダーカット（３）および平形ショルダ部材（５）を有するアンテナ・コネクタ・ブッシング（１）を様々に示す図である。内側アンダーカット（３）は、ブッシング（１）の一部として形成される。アンテナ構成要素が組み立てられると（図１６を参照）、ブッシング（１）とアンテナばね（１１）との間に直接接触が確立され、アンテナばね（１１）をブッシング（１）に機械的に圧着またははんだ付けする必要がなくなる。コア・モールド（９）の外側クリップ（１３）は、所定の深さおよび直径を有し、構成要素が組み立てられた後は、アンテナ・コネクタ・ブッシング（１）の内側アンダーカット（３）内にはめ込まれる（図１６を参照）。コア・モールド（９）の外側クリップ（１３）およびブッシング（１）の内側アンダーカット（３）の大きさは、接続し合された後で剛性なアセンブリが形成されるように設計される。ブッシング（１）は、内側アンダーカット（３）を通る穴（４）を設けることができる。また、ブッシング（１）は、内側アンダーカット（３）から突き出る尾部（１０）を有するように製造することもできる。
【００１８】
ブッシング（１）の残りの部分、アンテナばね（１１）、およびコア・モールド・アセンブリの残りの部分の形成は、アンテナの用途が異なると構造が変わるため、詳細には述べない。
【００１９】
（産業上の利用可能性）
本発明は、クリップにスナップを含む、一般には機械加工した部品である構成要素の形態でアンテナ・コネクタ・ブッシングの製造を実現する。アンテナ・コネクタ・ブッシングおよびコイル・モールドは、アンテナばね（コイル）およびコア・アセンブリをアンテナ・コネクタ・ブッシングに直接的に接続し、組み立て中の機械的圧着またははんだ付けによる直接接続を必要とせずに確実な接触をもたらすことができるように構築する。これは、確実かつ剛性なアセンブリを提供する働きをする。電気伝導率特性に不可欠な、アンテナばね（コイル）とアンテナ・コネクタ・ブッシングとの間の確実な直接接触が生み出される。アンテナ・コネクタ・ブッシングとアンテナ・コイルモールドとの間のスナップ・オン・クリップ構成によって得られる剛性および確実な固定は、安定したアセンブリを提供し、例えば保管中もしくは移送中または取扱い中もしくは使用中に関わらず様々な構成要素が引き離されることを抑える。
【図面の簡単な説明】
【図１】
クリップを有し、平形ショルダ部材を有するアンテナ・コネクタ・ブッシングの側面図であり、第１実施形態はこれを含む。
【図２】
クリップを有し、平形ショルダ部材および突き出た尾部を有する図１のブッシングの側面図である。
【図３】
図１の断面図である。
【図４】
完成したアンテナ・コネクタ・ブッシングおよびコイル・アセンブリの側面図であり、第１実施形態はこれを含む。
【図５】
クリップを有し、溝付きショルダ制限ハウジングを有するアンテナ・コネクタ・ブッシングの側面図であり、第２実施形態はこれを含む。
【図６】
クリップ、溝付きショルダ部材および突き出た尾部を有する図５のブッシングの側面図である。
【図７】
図５の断面図である。
【図８】
図５、６、および７に示す関連するコネクタ・ブッシング上のクリップへの被クリップ配置を有するコア・モールドの側面図である。
【図９】
図８の側面図である。
【図１０】
図５〜１０と共に説明した構成要素を含む、完成したアンテナ・コネクタブッシングおよびコイル・アセンブリの図である。
【図１１】
クリップを有し、溝付きショルダ制限ハウジングを有するアンテナ・コネクタ・ブッシングの側面図であり、第３実施形態はこれを含む。
【図１２】
クリップを有し、溝付きショルダ部材および突き出た尾部を有する図１１のブッシングの側面図である。
【図１３】
図１１の断面図である。
【図１４】
図１１、１２、および１３に示すコネクタ・ブッシング上のクリップへの外部被クリップ配置を有するコア・モールドの側面図である。
【図１５】
図１４の断面図である。
【図１６】
図１１〜１５と共に説明した構成要素を含む、完成したアンテナ・コネクタ・ブッシング・アセンブリの図である。
【国際公開パンフレット】
2004500737.tif 000003
2004500737.tif 000004
2004500737.tif 000005
2004500737.tif 000006
2004500737.tif 000007
2004500737.tif 000008
2004500737.tif 000009
2004500737.tif 000010
2004500737.tif 000011
2004500737.tif 000012
2004500737.tif 000013
2004500737.tif 000014
2004500737.tif 000015
2004500737.tif 000016
【国際調査報告】
2004500737.tif 000017
2004500737.tif 000018
2004500737.tif 000019